(57)【特許請求の範囲】
【請求項１】
圧力水供給源に連通される水入口及び少なくとも１つの緯入れノズルを含む複数の端末出水口の１つに連通される複数の水出口を有する弁本体と、該弁本体に回転可能に挿通された弁体であって前記水入口を前記水出口の１つに連通させる導水路を有する弁体と、該弁体を角度的に回転駆動する駆動手段とを含み、
前記弁体における前記導水路が、前記弁体の所定の回転位置において前記水入口と特定の水出口とを連通させると共に、前記弁体の異なる回転位置において前記水入口と他の水出口とを連通させるように形成された水噴射式織機の切替弁において、
前記導水路は、前記弁体の回転中心に向けて延びる複数の水路であって前記各回転位置においていずれかの水路が前記水入口に連通される複数の水路を含み、
さらに、前記導水路は、前記弁体の前記各回転位置において、前記弁本体の内壁の一部を当該導水路に露出させると共に、その露出部分が前記水入口の全てに対向し、かつ前記水入口と前記露出部分の前記水入口に対向する部分との間の領域内に前記水入口から前記弁本体の回転中心を通る直線と交差する方向へ延びる前記導水路の内壁面が存在しないように形成されている、
ことを特徴とする水噴射式織機の切替弁。
【請求項２】
前記導水路における前記水路は、前記水入口と同じ幅に形成されている、
ことを特徴とする請求項１に記載の水噴射式織機の切替弁。
【発明の詳細な説明】
【技術分野】
【０００１】
本発明は、水噴射織機における圧力水の切り替えに用いられる切替弁に関する。
【背景技術】
【０００２】
水噴射式織機の緯入れに用いられる圧力水のための切替弁は、一般に、圧力水供給源に連通される水入口と、緯入れノズルのような端末出水口に連通される複数の水出口とを弁本体に備えていると共に、水入口と１つの水出口とを選択的に連通させる導水路を弁本体に挿通される弁体に備えており、弁体を駆動させることにより、水入口と１つの水出口とを導水路により連通させる構造とされている。
【０００３】
そのような切替弁を用いた、緯入れ用圧力水供給装置の１つとして、特許文献１に記載されたものがある。この従来技術において、弁本体に配置された弁体をロータリーソレノイドのような電気式アクチュエータにより駆動させて、圧力水供給源からの圧力水を切替弁により複数の緯入れノズルの１つに選択的に供給している。
【０００４】
【特許文献１】特開平１０−１８４７号公報
【発明の開示】
【発明が解決しようとする課題】
【０００５】
従来の切替弁では、弁体に設けられた導水路がＹ字状に形成されているにすぎないから、圧力水が弁体の導水路に流入してその導水路を通過する際に、その圧力水が導水路の壁に衝突し、弁体を回転させる。このため、電気式アクチュエータは、弁体を逆方向に回転させて、元の状態に復帰させるように作動する。
【０００６】
その結果、弁本体が一方と他方とに交互に回転されて、弁体と弁本体との間に摩耗が生じるから、圧力水の漏れが生じるのみならず、水入口と導水路及び導水路と水出口で瞬間的にズレが生じ、それらのために緯入れノズルから噴射される圧力水の噴射が弱くなる。
【０００７】
本発明の目的は、圧力水が、弁体の導水路に流入する際に、弁体を回転させないようにすることにある。
【課題を解決するための手段】
【０００８】
本発明は、圧力水供給源に連通される水入口及び少なくとも１つの緯入れノズルを含む複数の端末出水口の１つに連通される複数の水出口を有する弁本体と、該弁本体に回転可能に挿通された弁体であって前記水入口を前記水出口の１つに連通させる導水路を有する弁体と該弁体を角度的に回転駆動する駆動手段とを含み、前記弁体における前記導水路が、前記弁体の所定の回転位置において前記水入口と特定の水出口とを連通させると共に、前記弁体の異なる回転位置において前記水入口と他の水出口とを連通させるように形成された水噴射式織機の切替弁を前提とする。
【０００９】
そして、本発明に係る切替弁は、前記導水路が、前記弁体の回転中心に向けて延びる複数の水路であって前記弁体の各回転位置においていずれかの水路が前記水入口に連通される複数の水路を含み、さらに、前記弁体の各回転位置において前記弁本体の内壁の一部を当該導水路に露出させると共にその露出部分が前記水入口の全てに対向するように形成され、さらに前記水入口と前記露出部分のうちの前記水入口に対向する部分との間の領域内に前記水入口から前記弁本体の回転中心を通る直線と交差する方向へ延びる内壁面が存在しないように形成されていることを特徴とする。
【００１０】
また、本発明に係る切替弁では、前記導水路における前記水路が、前記水入口と同じ幅に形成されているものとしてもよい。
【発明の効果】
【００１１】
本発明によれば、導水路に流入した圧力水は、水入口から直進して、弁本体の内壁のうち、導水路を介して水入口に対向する内壁に衝突する。このため、弁体は押圧されず、回転力は弁体に作用しない。このため、弁体の揺動に起因する導水路と水出口とのズレが生じず、連通が妨げられないから、緯入れノズルからの圧力水噴射が損なわれることが抑えられる。
【発明を実施するための最良の形態】
【００１２】
図１〜図３を参照するに、圧力水供給装置１０は、第１及び第２の緯入ノズル（図示せず）を用いる多色緯入れの水噴射式織機に用いられている。第１及び第２の緯入ノズルは、緯入れ可能の緯糸に個々に対応されている。
【００１３】
圧力水供給装置１０は、第１及び第２の切替弁１２及び１４を用いて、切替弁に個々に対応された給水ポンプのような第１及び第２の圧力水供給源１６及び１８からの圧力水を第１及び第２の緯入ノズルのいずれか１つに選択的に供給する装置を構成している。
【００１４】
切替弁１２及び１４は、それぞれ、弁本体２０及び２２と、対応する弁本体内に角度的に回転可能に配置された弁体２４及び２６と、弁本体２０及び２２を収納しているケース２８及び３０とを備えている。
【００１５】
弁体２４及び２６は、一体に製作されており、またロータリーソレノイドのような電気式アクチュエータ３２の駆動軸３４にカップリング３６により連結されて、織機と同期して所定のタイミングで同時に回転駆動される。図示の例では、ケース２８及び３０も一体的に形成されている。
【００１６】
切替弁１２及び１４の弁本体２０及び２２並びにケース２８及び３０は、それぞれ、圧力水のための１つの水入口３８及び４０と、２つの水出口４２，４４及び４６，４８とを有している。
【００１７】
切替弁１２及び１４の弁体２４及び２６は、それぞれ、圧力水を対応する弁本体の水出口の１つに選択的に導く導水路５０及び５２を有している。
【００１８】
水入口３８及び４０は、それぞれ、パイプ５４及び５６を介して第１及び第２の圧力水供給源１６及び１８に連通されている。各弁本体２０及び２２に形成される第１及び第３の水出口４２及び４６は、それぞれ、パイプ５８及び６０を介して第１及び第２の緯入れノズルに連通されている。各弁本体２０及び２２に形成される第２及び第４の水出口４４及び４８は、それぞれ、パイプ６２及び６４を介して第１及び第２の排出口（図示せず）に連通されている。
【００１９】
パイプ５４，５６，５８，６０，６２，６４の各々は、留め具と止めねじとにより対応するケース２８又は３０に連結されている。圧力水供給源１６及び１８は、それぞれ、織機と同期して所定のタイミングで駆動されて回収タンク（図示せず）内の水を吸引し、圧力水にして、パイプ５４及び５６を介し、水入口３８及び４０に供給する。
【００２０】
図示の実施例において、第１及び第２の緯入れノズル並びに第１及び第２の排水口は、いずれも、圧力水を噴射又は排出する端末出水口として作用する。
【００２１】
弁体２４及び２６は、それぞれ、水入口３８及び４０を導水路５０及び５２により、図３（Ａ１）及び（Ｂ２）に示すように水出口４２及び４６に連通させる選択停止位置と、図３（Ａ２）及び（Ｂ１）に示すように水出口４４及び４８に連通させる非選択停止位置とに、電動アクチュエータ３２により角度的に回転される。
【００２２】
選択停止位置は、その切替弁及び対応する緯入れノズルが選択されたことにより、供給された圧力水を対応する緯入れノズルに供給するための位置である。これに対し、非選択停止位置は、その切替弁及び対応する緯入れノズルが選択されなかったことにより、供給された圧力水を対応する排出口から回収タンクに回収するための位置である。
【００２３】
両切替弁１２，１４において、一方の切替弁は、対応する緯入れノズルが選択されると、その緯入れノズルに圧力水を供給するように駆動され、そのとき他方の切替弁は、対応する緯入れノズルと共に非選択となるから、圧力水を回収タンク（図示せず）に排出するように駆動される、という手法で弁体２４及び２６がアクチュエータ３２により同時に駆動される。
【００２４】
しかし、弁体２４，２６は一体に駆動されるから、弁体２４が図３（Ａ１）に示す選択停止位置に移動されているとき、弁体２６は図３（Ｂ１）に示す非選択停止位置に移動されており、弁体２６が図３（Ｂ２）に示す選択停止位置に移動されているとき、弁体２４は図３（Ａ２）に示す非選択停止位置に移動されている。
【００２５】
導水路５０及び５２の各々は、図３に示すように、弁体２４及び２６が選択停止位置に停止されているときに水入口３８及び４０に連通される水路５０ａ及び５２ａと、弁体２４及び２６が非選択停止位置に停止されているときに水入口３８及び４０に連通される水路５０ｂ及び５２ｂと、弁体２４及び２６が選択停止位置及び非選択停止位置のいずれに停止されていてもいずれかの水出口４２、４４及び４６、４８に連通される水路５０ｃ及び５２ｃとから成っている。
【００２６】
水路５０ａ、５０ｂ及び５２ａ、５２ｂは、弁体２４及び２６の外周面から弁体２４及び２６の回転中心である軸線６６及び６８に向けて半径方向へ延び、水路５０ｃ及び５２ｃに連通されている。水路５０ｃ及び５２ｃは、中心側が軸線６６及び６８側となる扇形状の断面形状を有しており、軸線６６及び６８に対し水路５０ａ、５０ｂ及び５２ａ、５２ｂとは反対側に位置されている。
【００２７】
弁本体２０及び２２の内周面の一部は、導水路５０及び５２の水路５０ｃ及び５２ｃに露出し、且つ、その露出部分は、水入口３８及び４０の中心と軸線６６及び６８とを結ぶ直線の方向において、水入口３８及び４０の全てに対向する部分（以下、「対向部分」という）を含んでいる。そして、選択停止位置又は非選択停止位置において水入口３８及び４０と水路５０ｃ及び５２ｃとを連通させる水路５０ａ、５０ｂ及び５２ａ、５２ｂは、水入口３８及び４０と連通した状態において、軸線６６及び６８の方向へ延び、水路５０ｃ及び５２ｃを介して上記対向部分と対向している。さらに、水路５０ａ、５０ｂ及び５２ａ、５２ｂは、図示のように水入口３８及び４０と同じ幅（同じ孔径／同じ流路断面積）の水路として形成されている。
【００２８】
このように切替弁１２及び１４は、弁体２４及び２６が選択停止位置及び非選択停止位置におかれた状態で、水入口３８及び４０の全てが弁本体２０及び２２の内周面の導水路５０及び５２に露出する部分に対向しており、且つ、水入口３８及び４０と弁本体２０及び２２の内周面の上記対向部分との間の領域内に、水入口３８及び４０の中心と軸線６６及び６８とを結ぶ直線と直交する方向へ延在する導水路５０及び５２の内壁面が存在しないように形成されている。
【００２９】
圧力水供給装置１０は、さらに、切替弁１２，１４の弁体２４，２６の上記のような位置を規制すべく弁体２４，２６と共に角度的に回転されるストッパ７２と、ストッパ７２の角度的回転範囲を規制する一対の位置調整板７４，７４（一方は図示せず）とを含む。ストッパ７２はカップリング３６に取り付けられている。位置調整板７４，７４は、ストッパ７２の角度的回転可能範囲を調整可能にケース２８に取り付けられている。
【００３０】
少なくとも織機の稼働中は、圧力水供給源１６及び１８から所定の値に加圧された圧力水が、それぞれ、対応する切替弁１２，１４に供給されている。切替弁１２及び１４の水入口３８及び４０の軸線は、弁体２４及び２６の軸線６６即ち回動中心を通る。このため、水入口３８又は４０から導水路５０又は５２に流入する水は、対応する弁体２４又は２６の軸線６６即ち回動中心に向けて進む。
【００３１】
圧力水供給装置１０において、第１の緯入れノズルが選択されると、切替弁１２が選択状態におかれ、第２の緯入れノズルと切替弁１４が非選択状態におかれる。
【００３２】
この状態においては、切替弁１２の弁体２４が図３（Ａ１）に示す選択停止位置に変位されるのに対し、切替弁１４の弁体２６が図３（Ｂ１）示すように非選択停止位置に変位されている。これにより、圧力水供給源１６からの圧力水は切替弁１２により第１の緯入れノズルに供給されるが、圧力水供給源１８からの圧力水は切替弁１４により排水口から回収タンクに排出される。
【００３３】
これに対し、第２の緯入れノズルが選択状態におかれると、切替弁１４の弁体２６は図３（Ｂ２）に示す選択停止位置に変位されるのに対し、切替弁１２の弁体２４は図３（Ａ２）示すように非選択停止位置に変位される。これにより、圧力水供給源１８からの圧力水は切替弁１４により第２の緯入れノズルに供給されるが、圧力水供給源１６からの圧力水は切替弁１２により排出口を介して回収タンクに排出される。
【００３４】
切替弁１２が選択停止位置におかれると共に切替弁１４が非選択停止位置におかれた状態で、各切替弁１２及び１４に対し圧力水が供給されると、水入口３８及び４０から導水路５０及び５２に流入した圧力水は、水路５０ａ、５０ｃ及び水路５２ｂ、５２ｃを直線的に通過し、水入口３８及び４０の全てに対向する弁本体２０及び２２の内壁に衝突する。即ち、水入口３８及び４０に流入した圧力水は、導水路５０及び５２の内壁面に対し回転力を与えることなく弁本体２０の内壁に達する。従って、切替弁１２及び１４では、導水路５０及び５２に流入する圧力流体によって弁体２４及び２６が回転力を受けることがほとんどなく、弁体２４及び２６が回転することはない。
【００３５】
切替弁１２が非選択停止位置に維持され、切替弁１４が選択停止位置に維持されている場合についても、上記と同様に作用し、同様の効果を生じる。
【００３６】
上記の結果、弁体２４及び２６の揺動に起因する導水路５０及び５２と水出口４２及び４６との連通の妨げが防止され、それにより緯入れノズルからの圧力水噴射が損なわれることが抑えられる。
【００３７】
上記の切替弁において、弁体の駆動手段として、専用のアクチュエータを用いる代わりに、織機の主軸の回転力を変換して伝達するカムやリンク等の運動変換機構を用いてもよい。また、複数の切替弁を用いた圧力水供給装置において、圧力水供給源を切替弁毎に設ける代わりに、圧力水供給源を複数の切替弁で共通に利用してもよい。
【００３８】
本発明は、上記実施例に限定されず、その趣旨を逸脱しない限り、種々変更することが
できる。
【図面の簡単な説明】
【００３９】
【図１】本発明に係る圧力水供給装置の一実施例を示す図である。
【図２】（Ａ）は図１における２Ａ−２Ａ線に沿って得た断面図であり、（Ｂ）は図１における２Ｂ−２Ｂ線に沿って得た断面図である。
【図３】本発明に係る切替弁の第１の実施例を示す断面図であって、（Ａ１）及び（Ｂ２）は弁体が選択停止位置に回転された状態を示し、（Ａ２）及び（Ｂ１）は弁体が非選択停止位置に回転された状態を示す。
【符号の説明】
【００４０】
１０  圧力水供給装置
１２、１４  切替弁
１６、１８  圧力水供給源
２０、２２  弁本体
２４、２６  弁体
３２  アクチュエータ
３８、４０  水入口
４２、４４，４６，４８  水出口
５０、５２  導水路
５０ａ、５０ｂ、５０ｃ、５２ａ、５２ｂ、５２ｃ  水路
６６、６８  弁体の軸線（回転中心）
【図１】
0004724167.tif 000002
【図２】
0004724167.tif 000003
【図３】
0004724167.tif 000004